(57)【要約】【課題】多チャンネルの放送ストリームにおける複数の番組を同時記録する際の複数番組の映像データを符号化するためのパラメータの生成において、システムを破綻させずに複数番組の映像データを符号化できるパラメータを生成できるようにする。【解決手段】番組情報管理部６は番組情報入力部５からの番組情報ＰＤを管理し、優先度制御部７は番組情報ＰＤに基づいて、パラメータを決定する上での指標である優先度αを番組単位で設定し、処理量制御部４は設定された優先度αに基づき、システム処理能力Ｐｓの範囲内で、優先度の高低に応じて割り当て量を増減する状態で番組当たり処理量Ｐｉを決定し、パラメータ制御部３は番組当たり処理量Ｐｉに応じてパラメータＰＭを決定し、記録制御部２はパラメータ制御部３から受け取ったパラメータＰＭをエンコーダ１２に対して設定する。【選択図】図５
2008016914.tif 000002
【特許請求の範囲】
【請求項１】
外部から入力される同時記録する番組数を取り入れ、システム処理能力の範囲内で前記番組数に応じた記録モードを決定する処理量制御部と、
前記処理量制御部による前記記録モードに応じて前記パラメータを決定するパラメータ制御部と、
前記パラメータ制御部による前記パラメータを受け取り、入力映像データをパラメータに従って符号化するエンコーダに対して前記受け取ったパラメータを設定する記録制御部とを備えた複数映像同時記録における符号化用パラメータ制御装置。
【請求項２】
記録すべき番組に関する情報である番組情報を入力する番組情報入力部と、
前記番組情報入力部からの前記番組情報を管理する番組情報管理部と、
前記番組情報管理部からの前記番組情報に基づいて、前記パラメータを決定する上での指標である優先度を番組単位で設定する優先度制御部と、
前記優先度制御部において設定された前記優先度に基づき、システム処理能力の範囲内で、前記優先度の高低に応じて割り当て量を増減する状態で番組当たり処理量を決定する処理量制御部と、
前記処理量制御部による前記番組当たり処理量に応じて前記パラメータを決定するパラメータ制御部と、
前記パラメータ制御部による前記パラメータを受け取り、入力映像データをパラメータに従って符号化するエンコーダに対して前記受け取ったパラメータを設定する記録制御部とを備えた複数映像同時記録における符号化用パラメータ制御装置。
【請求項３】
記録すべき番組に関する情報である番組情報を入力する番組情報入力部と、
前記番組情報入力部からの前記番組情報を管理する番組情報管理部と、
前記番組情報管理部からの前記番組情報に基づいて、前記パラメータを決定する上での指標である優先度をパラメータ単位で設定する優先度制御部と、
前記優先度制御部において設定された前記優先度に基づき、システム処理能力の範囲内で、前記優先度の高低に応じて記録精度を増減する状態で前記パラメータを決定するパラメータ制御部と、
前記パラメータ制御部による前記パラメータで記録した場合に必要となる記録すべき全番組についての番組当たり処理量の総和である処理量総和を算出して、その処理量総和を前記システム処理能力と比較し、その比較結果を前記パラメータ制御部に通知する処理量制御部と、
前記パラメータ制御部による前記パラメータを受け取り、入力映像データをパラメータに従って符号化するエンコーダに対して前記受け取ったパラメータを設定する記録制御部とを備えた複数映像同時記録における符号化用パラメータ制御装置。
【請求項４】
前記優先度制御部は、前記番組情報としてジャンルなどの番組の内容に関する情報を用いて前記優先度を設定する請求項２または請求項３に記載の複数映像同時記録における符号化用パラメータ制御装置。
【請求項５】
前記優先度制御部は、前記番組情報として映像フォーマットなどの番組のデータ構成に関する情報を用いて前記優先度を設定する請求項２から請求項４までのいずれかに記載の複数映像同時記録における符号化用パラメータ制御装置。
【請求項６】
前記優先度制御部は、前記番組情報としてユーザの嗜好性等の番組のユーザに関する情報を用いて前記優先度を設定する請求項２から請求項５までのいずれかに記載の複数映像同時記録における符号化用パラメータ制御装置。
【請求項７】
同時記録する各番組を符号化する際に用いるパラメータをユーザ入力する操作部と、
前記操作部から受け取った前記パラメータを管理し、システム処理能力の範囲内で、記録精度を増減する状態で前記パラメータを決定するパラメータ制御部と、
前記パラメータ制御部から受け取った前記パラメータで記録した場合に必要となる記録すべき全番組についての番組当たり処理量の総和である処理量総和を算出して、その処理量総和を前記システム処理能力と比較し、その比較結果を前記パラメータ制御部に通知する処理量制御部と、
前記パラメータ制御部による前記パラメータを受け取り、入力映像データをパラメータに従って符号化するエンコーダに対して前記受け取ったパラメータを設定する記録制御部とを備えた複数映像同時記録における符号化用パラメータ制御装置。
【請求項８】
さらに、前記処理量制御部で算出された前記番組当たり処理量と、前記パラメータ制御部で決定された各番組の前記パラメータと、現在設定されている前記パラメータでの前記処理量総和と前記システム処理能力の関係のうち少なくとも１つ以上の情報を表示する表示部を備える請求項２から請求項７までのいずれかに記載の複数映像同時記録における符号化用パラメータ制御装置。
【請求項９】
前記表示部は、さらに、前記優先度制御部において算出された各番組の優先度を表示する請求項８に記載の複数映像同時記録における符号化用パラメータ制御装置。
【請求項１０】
前記表示部は、前記操作部を通じてユーザから設定された前記パラメータでの記録に必要となる前記処理量総和が前記システム処理能力を上回っている場合は、その旨を画面に表示する請求項８または請求項９に記載の複数映像同時記録における符号化用パラメータ制御装置。
【請求項１１】
さらに、現在設定されているパラメータで記録された場合のサンプル映像データを生成出力するサンプル映像制御部を備え、
前記表示部は、前記サンプル映像制御部による前記サンプル映像を表示する請求項８から請求項１０までのいずれかに記載の複数映像同時記録における符号化用パラメータ制御装置。
【請求項１２】
請求項１から請求項１１までのいずれかに記載の複数映像同時記録における符号化用パラメータ制御装置と、
入力されてくる映像データを与えられたパラメータに従って符号化し、格納のために記録媒体に転送するエンコーダとを備えた複数映像同時記録装置。
【発明の詳細な説明】
【技術分野】
【０００１】
本発明は、入力されてくる複数の映像データを同時記録する複数映像同時記録における符号化用パラメータ制御装置および複数映像同時記録装置に関する。
【背景技術】
【０００２】
デジタル技術を中心とした技術革新の急速な発展に伴って、放送メディアの多様化・高度化とともに、放送の多チャンネル化が進んでいる。放送の多チャンネル化が進むにつれて、同じ時間帯に記録したい番組が複数存在する場合が増加し、同時刻に放送される複数の番組の同時記録を可能とすることが求められている。
【０００３】
特許文献１では、同時刻に放送される複数の番組を同時記録する方法として、ユーザの嗜好性を抽出し、その嗜好に合う番組を高ビットレートで記録し、嗜好に合わない番組は低ビットレートで記録する方法を提案している。これにより、比較的少ない記憶容量で長時間の記録が可能となる。
【０００４】
複数番組の同時記録における課題として、記録する番組数が増加するにつれて、必要となる記憶容量とシステム処理能力が大幅に増大することが挙げられる。この課題に対して、同時刻に放送される複数の番組を同時記録する方法として、図１７に示す構成がある。図１７において、Ａは符号化用パラメータ制御装置、２１はユーザからの入力を受け付ける操作部、２３はユーザが番組情報ＰＤを入力する番組情報入力部、２４は入力された番組情報ＰＤに基づいてユーザの視聴履歴から嗜好性を抽出・管理する番組情報管理部、２５は番組情報ＰＤから番組を符号化する際に用いるパラメータＰＭを決定するパラメータ制御部、２６はパラメータテーブル、２２は操作部２１と番組情報管理部２４とパラメータ制御部２５を制御し、映像データ記録装置Ｂにおけるエンコーダ１２にパラメータＰＭを通知する記録制御部である。また、Ｂは映像データ記録装置、１１は放送ストリームを入力する映像データ入力部、１２は映像データ入力部１１から入力されたデータを符号化用パラメータ制御装置ＡからのパラメータＰＭを用いて符号化するエンコーダ、１３は符号化されたデータを格納する記録媒体である。
【０００５】
この構成において、番組情報管理部２４は番組情報入力部２３から記録する番組に関する番組情報ＰＤを取得し、さらにユーザの視聴履歴から嗜好性を抽出・管理する。パラメータ制御部２５は番組を記録するパラメータＰＭの決定において、パラメータテーブル２６を参照して番組情報管理部２４で抽出された嗜好に合う番組を高ビットレートに設定し、嗜好に合わない番組は低ビットレートで設定する。こうして決定されたパラメータＰＭを記録制御部２２がエンコーダ１２に入力し、エンコーダ１２はそのパラメータＰＭに従って映像データを符号化し、記録媒体１３に格納する。この方法により、ユーザの嗜好に合わない番組の記録に起用するメモリ量を削減することが可能となる。
【特許文献１】特開２００４−１８６８４５号公報（第４−６頁、第１−３図）
【発明の開示】
【発明が解決しようとする課題】
【０００６】
しかし、図１７の構成においては、複数番組の同時記録に際してビットレートを落として記録する機能は有しているものの、映像データの処理能力を削減する機能は有しておらず、その結果として、処理能力の点でシステムを破綻させないという保証が確実化されないという課題がある。
【０００７】
本発明は、このような事情に鑑みて創作したものであり、同時記録対象の全番組についての処理量総和に配慮して、システムを破綻させずに記録すべき複数番組の映像データを処理することが可能な複数映像同時記録における符号化用パラメータ制御装置および複数映像同時記録装置を提供することを目的としている。
【課題を解決するための手段】
【０００８】
（１）本発明による複数映像同時記録における符号化用パラメータ制御装置は、
外部から入力される同時記録する番組数を取り入れ、システム処理能力の範囲内で前記番組数に応じた記録モードを決定する処理量制御部と、
前記処理量制御部による前記記録モードに応じて前記パラメータを決定するパラメータ制御部と、
前記パラメータ制御部による前記パラメータを受け取り、入力映像データをパラメータに従って符号化するエンコーダに対して前記受け取ったパラメータを設定する記録制御部とを備えたものである。
【０００９】
この構成において、処理量制御部は、同時記録する番組数に従って、システム処理能力の範囲内で番組数に応じた記録モードを決定し、決定した記録モードをパラメータ制御部に渡す。この記録モードとは、記録精度に関するもので、例えば高精細記録、通常記録、簡易記録などやあるいは“SuperFine”，“Fine”，“Normal”などがある。記録モードは、実質的には番組当たり処理量に該当する。番組数が少なければ、より精細な記録モードの選択が許容され、番組数が多くなるに従って記録精度が低くなるような条件で記録モードが決定される。これは、システム処理能力の範囲内で行われるので、決定された記録モードは、システム破綻を招かないものとなっている。パラメータ制御部は、処理量制御部が決定した記録モードを受け取り、その記録モードに応じて符号化のためのパラメータを決定し、決定したパラメータを記録制御部に渡す。ここで、符号化のためのパラメータとは、例えば符号化データの解像度、フレームレート、動き補償モード、音声コーデック、サンプリング周波数などである。結果として、このパラメータの個々の数値が番組数に応じて調整されたものとなる。記録制御部は、パラメータ制御部からパラメータを受け取り、そのパラメータをエンコーダに設定する。エンコーダは、上記のように決定されたパラメータを用いて、入力映像データを符号化し、符号化データを記録媒体に格納する。
【００１０】
同時記録の複数番組のそれぞれに対する番組当たり処理量の総和が同時記録対象の全番組についての処理量総和である。上記のように符号化のためのパラメータが番組数に応じて調整されているので、結果として、同時記録対象の全番組についての処理量総和はシステム処理能力を上回ることはない。したがって、複数の番組を同時に記録する複数映像同時記録において、システムを破綻させずに、記録すべき番組の映像データを処理することが可能となる。
【００１１】
（２）また、本発明による複数映像同時記録における符号化用パラメータ制御装置は、
記録すべき番組に関する情報である番組情報を入力する番組情報入力部と、
前記番組情報入力部からの前記番組情報を管理する番組情報管理部と、
前記番組情報管理部からの前記番組情報に基づいて、前記パラメータを決定する上での指標である優先度を番組単位で設定する優先度制御部と、
前記優先度制御部において設定された前記優先度に基づき、システム処理能力の範囲内で、前記優先度の高低に応じて割り当て量を増減する状態で番組当たり処理量を決定する処理量制御部と、
前記処理量制御部による前記番組当たり処理量に応じて前記パラメータを決定するパラメータ制御部と、
前記パラメータ制御部による前記パラメータを受け取り、入力映像データをパラメータに従って符号化するエンコーダに対して前記受け取ったパラメータを設定する記録制御部とを備えたものである。ここでは、「優先度を番組単位で設定する」がキーワードとなる。
【００１２】
この構成において、番組情報管理部は、番組情報入力部からの記録すべき番組に関する番組情報を取り込んで管理し、優先度制御部に渡す。ここで番組情報とは、例えば、番組のジャンル等の内容に関する情報、番組の映像フォーマット等のデータ構成に関する情報、嗜好性等のユーザに関する情報などである。優先度制御部は、番組情報管理部から受け取った番組情報に基づいて、符号化のためのパラメータを決定する上での指標である優先度を番組単位で設定し、設定した優先度を処理量制御部に渡す。例えば、ニュース番組よりスポーツ番組の優先度を高くしたり、映像フォーマットのＳＤ（標準画質）よりＨＤ（高精細画質）の優先度を高くしたり、嗜好性の高い番組ほど優先度を高くするといった具合である。処理量制御部は、受け取った優先度に基づき、システム処理能力の範囲内で、優先度の高低に応じて割り当て量を増減する状態で番組当たり処理量を決定する。これは、システム処理能力の範囲内で行われるので、決定された記録モードは、システム破綻を招かないものとなっている。処理量制御部は、決定した番組当たり処理量をパラメータ制御部に渡す。パラメータ制御部は、処理量制御部から受け取った番組当たり処理量に応じて符号化のためのパラメータを決定する。結果として、このパラメータが番組情報（内容、映像フォーマット、ユーザの嗜好性など）に応じて調整されたものとなる。記録制御部は、パラメータ制御部からパラメータを受け取り、そのパラメータをエンコーダに設定する。エンコーダは、上記のように決定されたパラメータを用いて、入力映像データを符号化し、符号化データを記録媒体に格納する。
【００１３】
上記のように符号化のためのパラメータの決定の基礎になる番組当たり処理量が番組情報（内容、映像フォーマット、ユーザの嗜好性など）に応じて調整されているので、結果として、同時記録対象の全番組についての処理量総和はシステム処理能力を上回ることはない。したがって、複数の番組を同時に記録する複数映像同時記録において、システムを破綻させずに、記録すべき番組の映像データを処理することが可能となる。さらに、上述の（１）と違って、番組数を規定していないので、同時記録の番組数が増加した場合にも柔軟な対応が可能である。
【００１４】
（３）また、本発明による複数映像同時記録における符号化用パラメータ制御装置は、
記録すべき番組に関する情報である番組情報を入力する番組情報入力部と、
前記番組情報入力部からの前記番組情報を管理する番組情報管理部と、
前記番組情報管理部からの前記番組情報に基づいて、前記パラメータを決定する上での指標である優先度をパラメータ単位で設定する優先度制御部と、
前記優先度制御部において設定された前記優先度に基づき、システム処理能力の範囲内で、前記優先度の高低に応じて記録精度を増減する状態で前記パラメータを決定するパラメータ制御部と、
前記パラメータ制御部による前記パラメータで記録した場合に必要となる記録すべき全番組についての番組当たり処理量の総和である処理量総和を算出して、その処理量総和を前記システム処理能力と比較し、その比較結果を前記パラメータ制御部に通知する処理量制御部と、
前記パラメータ制御部による前記パラメータを受け取り、入力映像データをパラメータに従って符号化するエンコーダに対して前記受け取ったパラメータを設定する記録制御部とを備えたものである。ここでは、「優先度をパラメータ単位で設定する」がキーワードとなる。
【００１５】
上述の（２）では、優先度制御部が番組情報に基づいて優先度を番組単位で設定するのに対して、（３）では、優先度制御部は番組情報に基づいて優先度をパラメータ単位で設定する点が相違している。
【００１６】
この構成において、番組情報管理部は、番組情報入力部からの記録すべき番組に関する番組情報（内容、映像フォーマット、ユーザの嗜好性など）を取り込んで管理し、優先度制御部に渡す。優先度制御部は、番組情報管理部から受け取った番組情報に基づいて、符号化のためのパラメータを決定する上での指標である優先度をパラメータ単位で設定し、設定した優先度をパラメータ制御部に渡す。例えば、スポーツ番組の場合は動きが激しい映像であるという観点からパラメータの解像度やフレームレートの優先度を高めに設定する。音楽番組の場合は音質を重視したい観点からパラメータの音声コーデックやサンプリング周波数の優先度を高めに設定する。これがパラメータ単位で優先度を設定するということである。パラメータ制御部は、優先度制御部から受け取った優先度に基づき、システム処理能力の範囲内で、優先度の高低に応じて記録精度を増減する状態で具体的にパラメータを決定し、決定したパラメータを処理量制御部に渡す。処理量制御部は、上記のように番組ごとにパラメータ単位で優先度を勘案したパラメータを受け取り、そのパラメータで記録した場合に必要となる記録すべき全番組についての番組当たり処理量の総和である処理量総和を算出し、その処理量総和を前記システム処理能力と比較し、その比較結果を前記パラメータ制御部に通知する。比較結果を受け取ったパラメータ制御部は、上記のとおりにシステム処理能力の範囲内に収まっているかを確認する。収まっていないときは、優先度が低いパラメータからその記録精度を下げ、パラメータを更新する。すなわち、処理量総和がシステム処理能力を上回っている場合は、パラメータ制御部は、記録する番組の解像度、フレームレートなどの映像の符号化に必要となる処理量を変化させるパラメータを調整し、画像または音声の記録精度を落とすことにより、記録に必要な処理量を削減する。これを何回か繰り返すと、最終的に決定されたパラメータは、それに対応する処理量総和がシステム処理能力の範囲内に収まることになる。このように決定されたパラメータは、システム破綻を招かないものとなっている。結果として、このパラメータが番組情報に応じて調整されたものとなる。記録制御部は、パラメータ制御部からパラメータを受け取り、そのパラメータをエンコーダに設定する。エンコーダは、上記のように決定されたパラメータを用いて、入力映像データを符号化し、符号化データを記録媒体に格納する。
【００１７】
上記のように符号化のためのパラメータの決定の基礎になる優先度がパラメータ単位で設定され、そのパラメータで記録した場合に必要となる処理量総和をチェックしながらパラメータを決定するので、複数の番組を同時に記録する複数映像同時記録において、システムを破綻させずに、記録すべき番組の映像データを処理することが可能となる。さらに、上述の（２）と同様に、番組数を規定していないので、同時記録の番組数が増加した場合にも柔軟な対応が可能である。
【００１８】
上述の（１）〜（３）の構成において、前記優先度制御部は、前記番組情報としてジャンルなどの番組の内容に関する情報を用いて前記優先度を設定するという態様がある。また、前記優先度制御部は、前記番組情報として映像フォーマットなどの番組のデータ構成に関する情報を用いて前記優先度を設定するという態様もある。また、前記優先度制御部は、前記番組情報としてユーザの嗜好性等の番組のユーザに関する情報を用いて前記優先度を設定するという態様もある。
【００１９】
（４）また、本発明による複数映像同時記録における符号化用パラメータ制御装置は、
同時記録する各番組を符号化する際に用いるパラメータをユーザ入力する操作部と、
前記操作部から受け取った前記パラメータを管理し、システム処理能力の範囲内で、記録精度を増減する状態で前記パラメータを決定するパラメータ制御部と、
前記パラメータ制御部から受け取った前記パラメータで記録した場合に必要となる記録すべき全番組についての番組当たり処理量の総和である処理量総和を算出して、その処理量総和を前記システム処理能力と比較し、その比較結果を前記パラメータ制御部に通知する処理量制御部と、
前記パラメータ制御部による前記パラメータを受け取り、入力映像データをパラメータに従って符号化するエンコーダに対して前記受け取ったパラメータを設定する記録制御部とを備えたものである。
【００２０】
この符号化用パラメータ制御装置の特徴は、エンコーダに対して与える符号化のためのパラメータを操作部から入力するように構成している点である。これによれば、同時記録する各番組について符号化する際に用いるパラメータをユーザが任意に設定することが可能で、パラメータを自動的に決定する方式では満足できないユーザに対しても、満足度の向上が期待される。
【００２１】
また、上述の（２）〜（４）の構成において、さらに、前記処理量制御部で算出された前記番組当たり処理量と、前記パラメータ制御部で決定された各番組の前記パラメータと、現在設定されている前記パラメータでの前記処理量総和と前記システム処理能力の関係のうち少なくとも１つ以上の情報を表示する表示部を備えるという態様がある。
【００２２】
さらには、前記表示部は、さらに、前記優先度制御部において算出された各番組の優先度を表示するという態様がある。
【００２３】
さらに、前記表示部は、前記操作部を通じてユーザから設定された前記パラメータでの記録に必要となる前記処理量総和が前記システム処理能力を上回っている場合は、その旨を画面に表示するという態様がある。
【００２４】
さらに、現在設定されているパラメータで記録された場合のサンプル映像データを生成出力するサンプル映像制御部を備え、前記表示部は、前記サンプル映像制御部による前記サンプル映像を表示するという態様がある。
【００２５】
上記のような各種情報の表示を行うことにより、同時記録対象の全番組についての処理量総和をシステム処理能力の範囲内に収める上で、ユーザによる各番組のパラメータの設定が容易化される。現在設定されているパラメータで記録された場合のサンプル映像の事前確認を通じて、ユーザの満足度の向上が期待される。そして、同時記録する番組が増加した場合においても柔軟な対応が可能である。
【００２６】
そして、本発明による複数映像同時記録装置は、上記のいずれかの符号化用パラメータ制御装置と、入力されてくる映像データを与えられたパラメータに従って符号化し、格納のために記録媒体に転送するエンコーダとを備えたものである。
【発明の効果】
【００２７】
本発明によれば、複数の番組を同時に記録する複数映像同時記録において、同時記録対象の全番組についての処理量総和がシステム処理能力を上回らないようにして符号化のためのパラメータ（解像度、フレームレート、動き補償モードなど）を調整するので、システムを破綻させずに記録すべき番組の映像データを処理することができる。そして、解像度、フレームレートなどのパラメータの調整は記憶容量の削減に有利に作用する。
【００２８】
また、番組の特徴に応じて番組当たり処理量の削減を効率的に行うことができ、記録した映像データに対するユーザの満足度への処理量削減の影響を最小限にとどめることが可能である。また、表示部を備えることにより、ユーザの嗜好性をより反映させることが可能となる。
【発明を実施するための最良の形態】
【００２９】
以下、本発明の複数映像同時記録装置の実施の形態を図面を参照しながら説明する。
【００３０】
（実施の形態１）
図１は本発明の実施の形態１における複数映像同時記録装置の構成を示すブロック図である。この複数映像同時記録装置は、大きく分けて２つの部分、すなわち、記録すべき番組を符号化する際に用いるパラメータを決定する符号化用パラメータ制御装置Ａと、決定されたパラメータを用いて映像データを記録する映像データ記録装置Ｂから構成されている。
【００３１】
映像データ記録装置Ｂは、放送ストリームを入力する映像データ入力部１１と、映像データ入力部１１から入力されたデータを符号化用パラメータ制御装置ＡからのパラメータＰＭを用いて符号化するエンコーダ１２と、符号化されたデータを格納する記録媒体１３とを備えている。
【００３２】
符号化用パラメータ制御装置Ａは、ユーザからの入力を受け付ける操作部１と、ユーザが記録設定した番組数Ｎと映像データ記録装置Ｂが所有しているシステム処理能力Ｐｓとを考慮し、１番組当たりの記録に割り当てる処理量（番組当たり処理量）Ｐｉを決定する処理量制御部４と、処理量制御部４で決定された番組当たり処理量Ｐｉから番組を符号化する際に用いるパラメータＰＭを決定するパラメータ制御部３と、操作部１とパラメータ制御部３を制御し、映像データ記録装置Ｂにおけるエンコーダ１２にパラメータＰＭを通知する記録制御部２とを備えている。
【００３３】
処理量制御部４は、記録モードテーブルＴ２を利用して、与えられた番組数Ｎに対応する記録モードＭを選択し、選択した記録モードＭに対応した番組当たり処理量Ｐｉを決定する（Ｎ→Ｍ→Ｐｉ）。この番組当たり処理量Ｐｉの決定は、同時記録対象の全番組についての処理量総和ΣＰｉがシステム処理能力Ｐｓを上回らない条件で行われる。
【００３４】
次に、上記のように構成された本実施の形態の複数映像同時記録における符号化用パラメータ制御装置の動作を図２のフローチャートに基づいて説明する。
【００３５】
まず、ステップＳ１において、操作部１から記録情報が入力され、その記録情報に含まれる記録すべき番組数Ｎが記録制御部２に入力される。
【００３６】
次いでステップＳ２において、記録制御部２は、番組数Ｎをパラメータ制御部３を介して処理量制御部４に渡す。
【００３７】
次いでステップＳ３において、処理量制御部４は、記録モードテーブルＴ２を利用して番組数Ｎに応じた記録モードＭを選択する。これは、番組当たり処理量Ｐｉを決定することに相当している。この場合、全番組についての総処理量ΣＰｉがシステム処理能力Ｐｓに対して過剰とならない記録モードＭを選択する。
【００３８】
次いでステップＳ４において、パラメータ制御部３は、パラメータテーブルＴ１を利用して記録モードＭ（番組当たり処理量Ｐｉ）に応じたパラメータＰＭを選択し、そのパラメータＰＭを記録制御部２に渡す。
【００３９】
次いでステップＳ５において、記録制御部２は、受け取ったパラメータＰＭを映像データ記録装置Ｂにおけるエンコーダ１２に送出する。
【００４０】
次いでステップＳ６において、エンコーダ１２は、受け取ったパラメータＰＭに従って、入力した映像データを符号化し、記録媒体１３に格納する。
【００４１】
図３（ａ）は番組当たり処理量Ｐｉと記録モードＭとの関係を例示する。番組当たり処理量Ｐｉは記録モードＭに対応する。記録モードＭには、例えば、“ExtraFine”，“SuperFine”，“Fine”，“Normal”，“Economy”があり、“ExtraFine”に近づくほど番組当たり処理量Ｐｉが大きく、“Economy”に近づくほど番組当たり処理量Ｐｉが小さい。
【００４２】
図３（ｂ）は番組数Ｎと記録モードＭとが対応付けられた記録モードテーブルＴ２の例を示す。番組数Ｎ＝１のときは番組当たり処理量Ｐｉが最大の“ExtraFine”が対応し、番組数Ｎ＝２のときは番組当たり処理量Ｐｉが次に大きい“SuperFine”が対応し、番組数Ｎ＝３，４のときは“Fine”が対応し、番組数Ｎ＝５，６のときは“Normal”が対応し、番組数Ｎ＝７，８のときは番組当たり処理量Ｐｉが最小の“Economy”が対応している。
【００４３】
処理量制御部４は、番組数Ｎに対応した番組当たり処理量Ｐｉに適した記録モードＭを決定し、決定した記録モードＭをパラメータ制御部３に渡す。
【００４４】
パラメータ制御部３が用いるパラメータテーブルＴ１の構成を図４（ａ），（ｂ）を用いて説明する。パラメータＰＭの要素に解像度、フレームレート、音声コーデック、サンプリング周波数があり、図４（ａ）のように、それぞれ記録モードＭの“ExtraFine”，“SuperFine”，“Fine”，“Normal”，“Economy”の違いに応じてランク数値が決められている。そして、図４（ｂ）のように、解像度、フレームレート、音声コーデック、サンプリング周波数のそれぞれのランクには、具体的な内容が定義されている。
【００４５】
例えば、記録モードＭが“Normal”の場合、解像度＝３、フレームレート＝４、音声コーデック＝５、サンプリング周波数＝２であり、これは具体的には、決定されたパラメータＰＭが、解像度：ＶＧＡ、フレームレート：５０、音声コーデック：ＡＡＣ、サンプリング周波数：２４ｋＨｚということになる。
【００４６】
パラメータ制御部３は、パラメータテーブルＴ１を参照して、処理量制御部４から受け取った記録モードＭ（番組当たり処理量Ｐｉ）に基づいてパラメータＰＭを決定し、決定したパラメータＰＭを記録制御部２に渡す。記録制御部２は、受け取ったパラメータＰＭを映像データ記録装置Ｂにおけるエンコーダ１２に入力する。
【００４７】
映像データ記録装置Ｂでは、映像データ入力部１１から入力された放送ストリームに対して、記録制御部２から渡されたパラメータＰＭを基にエンコーダ１２で映像データの符号化を行い、記録媒体１３へ格納する。
【００４８】
以上のように本実施の形態によれば、複数の番組を同時に記録する場合に、処理量制御部４によって同時記録する番組数Ｎに応じて記録モードＭ（番組当たり処理量Ｐｉ）を決定するので、同時記録対象の全番組についての処理量総和ΣＰｉをシステム処理能力Ｐｓの範囲内に収めることができる。すなわち、システム処理能力Ｐｓの不足のために破綻するといったことがなく、複数番組を所期通りに同時記録することが可能となる。また、同時記録する番組が増加した場合においても柔軟に対応することができる。
【００４９】
（実施の形態２）
図５は本発明の実施の形態２における複数映像同時記録装置の構成を示すブロック図である。図５において、実施の形態１の図１におけるのと同じ符号は同一構成要素を指している。本実施の形態に特有の構成は、次のとおりである。さらに、番組情報ＰＤを入力する番組情報入力部５と、番組情報入力部５から入力された番組情報ＰＤを管理する番組情報管理部６と、番組情報ＰＤから各番組にその番組の記録画質および音質の高さを示す優先度αを設定する優先度制御部７とを備えている。ここで、番組情報ＰＤは、番組のジャンル等の内容に関する情報、番組の映像フォーマット等のデータ構成に関する情報、嗜好性等のユーザに関する情報などを含む。本実施の形態においては、処理量制御部４は、優先度制御部７で設定された番組優先度αを基に番組当たり処理量Ｐｉを算出するように構成されている。また、パラメータ制御部３は、優先度制御部７と処理量制御部４を制御し、番組当たり処理量Ｐｉに基づいて番組を符号化する際に用いるパラメータＰＭを決定するように構成されている。また、記録制御部２は、番組情報管理部６とパラメータ制御部３を制御し、エンコーダ１２にパラメータＰＭを通知するように構成されている。記録モードテーブルＴ２はない。その他の構成については、実施の形態１と同様であるので、説明を省略する。
【００５０】
次に、上記のように構成された本実施の形態の複数映像同時記録における符号化用パラメータ制御装置の動作を図６のフローチャートに基づいて説明する。
【００５１】
まず、ステップＳ１１において、番組情報入力部５から記録すべき番組についての番組情報ＰＤ（ジャンル、映像フォーマット、嗜好性等）が入力され、その番組情報ＰＤが番組情報管理部６に入力される。
【００５２】
次いでステップＳ１２において、記録制御部２は、番組情報管理部６から番組情報ＰＤを取得し、パラメータ制御部３を介して優先度制御部７に渡す。
【００５３】
次いでステップＳ１３において、優先度制御部７は、受け取った番組情報ＰＤを基に記録すべき番組ごとの優先度αを決定し、決定した優先度αをパラメータ制御部３に渡す。
【００５４】
次いでステップＳ１４において、パラメータ制御部３は受け取った優先度αを処理量制御部４に入力する。
【００５５】
次いでステップＳ１５において、処理量制御部４は、入力された優先度αに基づいて番組当たり処理量Ｐｉを決定し、同時記録対象の全番組についての処理量総和ΣＰｉとシステム処理能力Ｐｓの比較を行う。比較の結果、処理量総和ΣＰｉがシステム処理能力Ｐｓの範囲内に収まらないときはステップＳ１６に進み、収まるときはステップＳ１８に進む。
【００５６】
ステップＳ１６に進んだときは、処理量制御部４は、総処理量ΣＰｉがシステム処理能力Ｐｓに対して過剰を示しているので、複数番組のうち優先度αが最も低い番組に割り当てる番組当たり処理量Ｐｉを低減する（記録モードＭのランクを落とす）。
【００５７】
次いでステップＳ１７において、優先度αを更新し、ステップＳ１５に戻って再び総処理量ΣＰｉとシステム処理能力Ｐｓとの比較を行う。
【００５８】
番組当たり処理量Ｐｉの低減方法としては、番組当たり処理量Ｐｉに応じた記録モードＭを用意し、その記録モードＭのランクを１ランクずつ落としていく方法をとる。この操作で２回目以降にランクを落とす番組として選択される番組を同じものにしない方法として、優先度αを毎回更新する方法が挙げられる。
【００５９】
処理量制御部４は、同時記録対象の全番組についての処理量総和ΣＰｉがシステム処理能力Ｐｓの範囲内に納まるまでこれを繰り返し、各番組の記録モードＭを決定する。
【００６０】
ステップＳ１５の判断が肯定的となってステップＳ１８に進むと、パラメータ制御部３は、パラメータテーブルＴ１を利用して記録モードＭ（番組当たり処理量Ｐｉ）に応じたパラメータＰＭを選択し、そのパラメータＰＭを記録制御部２に渡す。
【００６１】
次いでステップＳ１９において、記録制御部２は、受け取ったパラメータＰＭを映像データ記録装置Ｂにおけるエンコーダ１２に送出する。
【００６２】
次いでステップＳ２０において、エンコーダ１２は、受け取ったパラメータＰＭに従って、入力した映像データを符号化し、記録媒体１３に格納する。
【００６３】
図７（ａ），（ｂ），（ｃ）はそれぞれ単体で、番組の内容情報、構成情報およびユーザ情報について優先度αを設定した場合の一例を示す。
【００６４】
図７（ａ）において、番組のジャンル等の内容に関する情報に基づく優先度αの設定の例として、番組ジャンルがニュースである場合は、高精度の記録が求められていないという前提の下、優先度αを低く設定している。また、図７（ｂ）において、映像フォーマット等のデータ構成に関する情報に基づく優先度αの設定の例として、映像フォーマットがＨＤである場合は、処理すべきデータ量が多いため、優先度αを高く設定している。また、図７（ｃ）において、嗜好性等のユーザに関する情報に基づく優先度αの設定の例として、ユーザの嗜好度が高い番組ほど優先度αを高く設定している。なお、これら優先度αは複数の番組情報ＰＤを複合的に評価して設定してもよい。
【００６５】
図８は本実施の形態におけるパラメータテーブルＴ１の一例を示す。各番組におけるパラメータＰＭの決定は、“Fine”，“Normal”等の記録モードＭに応じたパラメータＰＭ（解像度、フレームレート、音声コーデック、サンプリング周波数）が記憶されているパラメータテーブルＴ１において行う。このパラメータテーブルＴ１は、記録モードＭだけでなく、番組のジャンルなどを考慮したより詳細なパラメータＰＭを記憶しておくものでもよい。
【００６６】
以上のように本実施の形態によれば、複数の番組を同時に記録する場合に、番組情報入力部５、番組情報管理部６および優先度制御部７を設け、番組のジャンル等の内容に関する情報、番組の映像フォーマット等のデータ構成に関する情報、嗜好性等のユーザに関する情報などの番組情報ＰＤに基づいた優先度αを設定し、この番組の特徴を反映した優先度αに応じた番組当たり処理量Ｐｉの割り当てを行うので、同時記録対象の全番組についての処理量総和ΣＰｉをシステム処理能力Ｐｓの範囲内に収め、複数番組同時記録に起因する画質・音質の劣化を抑制することができる。
【００６７】
さらに、実施の形態１と違って、番組数を規定していないので、同時記録の番組数が増加した場合にも柔軟に対応することができる。
【００６８】
（実施の形態３）
図９は本発明の実施の形態３における複数映像同時記録装置の構成を示すブロック図である。図９において、実施の形態２の図５におけるのと同じ符号は同一構成要素を指している。本実施の形態に特有の構成は、次のとおりである。優先度制御部７は、番組情報管理部６による番組情報ＰＤから各パラメータＰＭに、そのパラメータＰＭに起因する記録画質および音質の高さを示す優先度βを設定するように構成されている。すなわち、優先度βをパラメータ単位で設定している。また、パラメータ制御部３は、優先度制御部７と処理量制御部４を制御し、設定された優先度βを基に各パラメータＰＭを決定するように構成されている。また、処理量制御部４は、決定されたパラメータＰＭで記録した場合に必要となる番組当たり処理量Ｐｉを算出するように構成されている。パラメータテーブルＴ１は用いられていない。その他の構成については、実施の形態１と同様であるので、説明を省略する。
【００６９】
次に、上記のように構成された本実施の形態の複数映像同時記録における符号化用パラメータ制御装置の動作を図１０のフローチャートに基づいて説明する。
【００７０】
まず、ステップＳ２１において、番組情報入力部５から記録すべき番組についての番組情報ＰＤ（ジャンル、映像フォーマット、嗜好性等）が入力され、その番組情報ＰＤが番組情報管理部６に入力される。
【００７１】
次いでステップＳ２２において、記録制御部２は、番組情報管理部６から番組情報ＰＤを取得し、パラメータ制御部３を介して優先度制御部７に渡す。
【００７２】
次いでステップＳ２３において、優先度制御部７は、受け取った番組情報ＰＤを基に記録すべき全番組の各パラメータＰＭごとの優先度βを決定し、決定した優先度βをパラメータ制御部３に渡す。
【００７３】
次いでステップＳ２４において、パラメータ制御部３は受け取った各パラメータＰＭごとの優先度βを処理量制御部４に入力する。処理量制御部４は、入力された優先度βに基づいて記録するパラメータＰＭを決定する。
【００７４】
次いでステップＳ２５において、処理量制御部４は、入力されたパラメータＰＭで記録した場合に必要となる番組当たり処理量Ｐｉを算出し、同時記録対象の全番組についての処理量総和ΣＰｉとシステム処理能力Ｐｓの比較を行う。比較の結果、処理量総和ΣＰｉがシステム処理能力Ｐｓの範囲内に収まらないときはステップＳ２６に進み、収まるときはステップＳ２８に進む。
【００７５】
ステップＳ２６に進んだときは、処理量制御部４は、総処理量ΣＰｉがシステム処理能力Ｐｓに対して過剰を示しているので、複数番組のうち優先度βが最も低いパラメータＰＭを低減する（記録モードＭのランクを落とす）。
【００７６】
次いでステップＳ２７において、優先度βを更新し、ステップＳ２５に戻って更新されたパラメータＰＭで記録した場合に必要となる番組当たり処理量Ｐｉを算出し、再び総処理量ΣＰｉとシステム処理能力Ｐｓとの比較を行う。
【００７７】
パラメータＰＭの低減方法としては、パラメータＰＭにランクを設けておき、そのランクを１ランクずつ落としていく方法をとる。この操作で２回目以降にランクを落とすパラメータとして選択されるものを同じものにしない方法として、優先度βを毎回更新する方法が挙げられる。
【００７８】
処理量制御部４は、同時記録対象の全番組についての処理量総和ΣＰｉがシステム処理能力Ｐｓの範囲内に納まるまでこれを繰り返し、各番組のパラメータＰＭを決定する。
【００７９】
ステップＳ２５の判断が肯定的となってステップＳ２８に進むと、パラメータ制御部３は、決定したパラメータＰＭを記録制御部２に渡す。記録制御部２は、受け取ったパラメータＰＭを映像データ記録装置Ｂにおけるエンコーダ１２に送出する。
【００８０】
次いでステップＳ２９において、エンコーダ１２は、受け取ったパラメータＰＭに従って、入力した映像データを符号化し、記録媒体１３に格納する。
【００８１】
図１１は番組のジャンル等の内容に関する情報に基づく優先度βの設定の例を示す。番組ジャンルがスポーツである場合、動きが激しい映像であるという前提の下、フレームレートの優先度βを高く設定している。なお、優先度βは複数の番組情報ＰＤを複合的に評価し設定してもよい。
【００８２】
以上のように本実施の形態によれば、複数の番組を同時に記録する場合に、同時記録する各番組の各パラメータＰＭごとに番組情報ＰＤに基づいた優先度βを設定し、その優先度βに基づきパラメータＰＭを決定することにより、番組の特徴を考慮したより細かい単位での番組当たり処理量Ｐｉの割り当てが可能となる。その結果として、同時記録対象の全番組についての処理量総和ΣＰｉをシステム処理能力Ｐｓの範囲内に収め、複数番組同時記録に起因する画質・音質の劣化を抑制することができる。
【００８３】
さらに、実施の形態１と違って、番組数を規定していないので、同時記録の番組数が増加した場合にも柔軟に対応することができる。
【００８４】
（実施の形態４）
図１２は本発明の実施の形態４における複数映像同時記録装置の構成を示すブロック図である。図１２において、実施の形態１の図１におけるのと同じ符号は同一構成要素を指している。本実施の形態においては、操作部１は、同時記録する各番組を符号化する際に用いるパラメータＰＭをユーザが入力するのを受け付け、記録制御部２に渡すように構成されている。記録モードテーブルＴ２およびパラメータテーブルＴ１は用いられていない。その他の構成については、実施の形態１と同様であるので、説明を省略する。
【００８５】
次に、上記のように構成された本実施の形態の複数映像同時記録における符号化用パラメータ制御装置の動作を説明する。
【００８６】
操作部１は、ユーザからの入力として、同時記録する各番組を符号化する際に用いるパラメータＰＭを受け付け、記録制御部２に入力する。記録制御部２は、操作部１から入力されたパラメータＰＭをパラメータ制御部３を介して処理量制御部４に渡す。処理量制御部４は、パラメータ制御部３によって設定されたパラメータＰＭで記録した場合に必要となる各番組の番組当たり処理量Ｐｉを算出し、システム処理能力Ｐｓとの比較を行う。記録制御部２は、その比較結果を取得し、総処理量ΣＰｉがシステム処理能力Ｐｓに対して過剰を示している場合は、再設定を促すメッセージを通知する。
【００８７】
なお、ここに説明したユーザによる設定は、実施の形態１、実施の形態２または実施の形態３において決定されたパラメータＰＭの再調整に用いてもよい。
【００８８】
以上のように本実施の形態によれば、同時記録対象の全番組についての処理量総和ΣＰｉをシステム処理能力Ｐｓの範囲内に収める機能を有しつつ、操作部１においてユーザが、同時記録する各番組を符号化する際に用いるパラメータＰＭを自由に設定することができるので、パラメータＰＭを自動的に決定する上記の方式では満足できないユーザに対しても、満足度を向上させることができる。
【００８９】
さらに、実施の形態１と違って、番組数を規定していないので、同時記録の番組数が増加した場合にも柔軟に対応することができる。
【００９０】
（実施の形態５）
図１３は本発明の実施の形態４における複数映像同時記録装置の構成を示すブロック図である。図１３において、実施の形態４の図１２におけるのと同じ符号は同一構成要素を指している。本実施の形態においては、記録すべき番組を符号化する際に用いるパラメータＰＭなどの記録設定状況をユーザに表示する表示部８が設けられている。記録制御部２は、操作部１とパラメータ制御部３と表示部８を制御し、エンコーダ１２にパラメータＰＭを通知するように構成されている。その他の構成については、実施の形態４と同様であるので、説明を省略する。
【００９１】
次に、上記のように構成された本実施の形態の複数映像同時記録における符号化用パラメータ制御装置の動作を説明する。
【００９２】
記録制御部２は、操作部１から入力されたパラメータＰＭをパラメータ制御部３に入力し、処理量制御部４において設定されたパラメータＰＭでの各番組の番組当たり処理量Ｐｉを算出する。記録制御部２は算出された番組当たり処理量Ｐｉを取得し、表示部８に入力する。
【００９３】
表示部８は、図１４に示すように、現在設定されている記録すべき番組を符号化する際に用いるパラメータＰＭと、現在のパラメータＰＭで記録した場合に必要となる各番組の番組当たり処理量Ｐｉと、全番組の同時記録対象の全番組についての処理量総和ΣＰｉと、システム処理能力Ｐｓの様子を表示する。表示部８は同時記録対象の全番組についての処理量総和ΣＰｉがシステム処理能力Ｐｓよりも多い場合は、再設定を促すメッセージ８ａを表示する。ユーザは、この情報を参照し、操作部１から各番組のパラメータＰＭを操作する。
【００９４】
なお、ここに説明したユーザによる設定は、実施の形態１、実施の形態２または実施の形態３において決定されたパラメータＰＭの再調整に用いてもよい。
【００９５】
以上のように本実施の形態によれば、表示部８において、現在設定のパラメータＰＭ、パラメータＰＭでの各番組の番組当たり処理量Ｐｉ、同時記録対象の全番組についての処理量総和ΣＰｉおよびシステム処理能力Ｐｓを表示するので、処理量総和ΣＰｉをシステム処理能力Ｐｓの範囲内に収める上で、ユーザによる各番組のパラメータＰＭの設定を容易化することができる。同時記録する番組が増加した場合においても柔軟に対応することができる。
【００９６】
（実施の形態６）
図１５は本発明の実施の形態６における複数映像同時記録装置の構成を示すブロック図である。図１５において、実施の形態５の図１３におけるのと同じ符号は同一構成要素を指している。本実施の形態においては、現在設定されているパラメータＰＭで記録された場合のサンプル映像を表示部８に入力するサンプル映像制御部９が設けられている。記録制御部２は、操作部１とパラメータ制御部３とサンプル映像制御部９と表示部８を制御し、エンコーダ１２にパラメータＰＭを通知するように構成されている。その他の構成については、実施の形態１と同様であるので、説明を省略する。
【００９７】
次に、上記のように構成された本実施の形態の複数映像同時記録における符号化用パラメータ制御装置の動作を説明する。
【００９８】
記録制御部２は、操作部１から入力されたパラメータＰＭをパラメータ制御部３に入力し、処理量制御部４において設定されたパラメータＰＭでの各番組の番組当たり処理量Ｐｉを算出する。記録制御部２は算出された番組当たり処理量Ｐｉを取得し、表示部８に入力する。また、記録制御部２は、操作部１から入力されたパラメータＰＭをサンプル映像制御部９に入力する。サンプル映像制御部９は、記録制御部２から入力されたパラメータＰＭで記録した場合のサンプル映像９ａを表示部８に入力する。
【００９９】
表示部８は、図１６に示すように、記録制御部２から入力された現在設定されている記録すべき番組を符号化する際に用いるパラメータＰＭと現在のパラメータＰＭで記録した場合に必要となる各番組の番組当たり処理量Ｐｉと、同時記録対象の全番組についての処理量総和ΣＰｉと、システム処理能力Ｐｓの様子を表示する。さらに、表示部８は、サンプル映像制御部９から入力されたサンプル映像９ａも表示する。
【０１００】
ユーザは、この情報を参照し、操作部１から各番組のパラメータＰＭを操作する。表示部８は同時記録対象の全番組についての処理量総和ΣＰｉがシステム処理能力Ｐｓを上回る場合は、再設定を促すメッセージ８ａを表示してもよい。
【０１０１】
なお、ここに説明したユーザによる設定は、実施の形態１、実施の形態２または実施の形態３において決定されたパラメータＰＭの再調整に用いてもよい。
【０１０２】
以上のように本実施の形態によれば、表示部８において、現在設定されているパラメータＰＭで記録された場合のサンプル映像９ａを表示するので、同時記録対象の全番組についての処理量総和ΣＰｉをシステム処理能力Ｐｓの範囲内に収める上で、ユーザが事前に記録映像を確認することを可能とし、ユーザの満足度を向上させることができる。同時記録する番組が増加した場合においても柔軟に対応することができる。
【産業上の利用可能性】
【０１０３】
本発明は、多チャンネルの放送ストリームにおける複数の番組を同時記録する際の複数番組の映像データを符号化するためのパラメータ（解像度、フレームレート、動き補償モードなど）として、システムを破綻させないパラメータを効率良く生成する技術として有用である。
【図面の簡単な説明】
【０１０４】
【図１】本発明の実施の形態１における複数映像同時記録装置の構成を示すブロック図
【図２】本発明の実施の形態１における複数映像同時記録装置の動作を示すフローチャート
【図３】本発明の実施の形態１における記録モード定義の例および記録モードテーブルの例を示す図
【図４】本発明の実施の形態１におけるパラメータテーブルの例およびパラメータランクの例を示す図
【図５】本発明の実施の形態２における複数映像同時記録装置の構成を示すブロック図
【図６】本発明の実施の形態２における複数映像同時記録装置の動作を示すフローチャート
【図７】本発明の実施の形態２における番組のジャンル情報から設定した優先度の例、番組の映像フォーマット情報から設定した優先度の例および番組のユーザの嗜好性情報から設定した優先度の例を示す図
【図８】本発明の実施の形態２におけるパラメータテーブルの例を示す図
【図９】本発明の実施の形態３における複数映像同時記録装置の構成を示すブロック図
【図１０】本発明の実施の形態３における複数映像同時記録装置の動作を示すフローチャート
【図１１】本発明の実施の形態３におけるパラメータの優先度の設定の例を示す図
【図１２】本発明の実施の形態４における複数映像同時記録装置の構成を示すブロック図
【図１３】本発明の実施の形態５における複数映像同時記録装置の構成を示すブロック図
【図１４】本発明の実施の形態５における表示部に表示される画面の例を示す図
【図１５】本発明の実施の形態６における複数映像同時記録装置の構成を示すブロック図
【図１６】本発明の実施の形態６における表示部に表示される画面の例を示す図
【図１７】従来の技術における複数映像同時記録装置の構成を示すブロック図
【符号の説明】
【０１０５】
１  操作部
２  記録制御部
３  パラメータ制御部
４  処理量制御部
５  番組情報入力部
６  番組情報管理部
７  優先度制御部
８  表示部
８ａ  再設定を促すメッセージ
９  サンプル映像制御部
９ａ  サンプル映像
１１  映像データ入力部
１２  エンコーダ
１３  記録媒体
Ａ  符号化用パラメータ制御装置
Ｂ  映像データ記録装置
Ｍ  記録モード
Ｎ  番組数
ＰＤ  番組情報
Ｐｉ  番組当たり処理量
ΣＰｉ  同時記録対象の全番組についての処理量総和
ＰＭ  パラメータ
Ｐｓ  システム処理能力
Ｔ１  パラメータテーブル
Ｔ２  記録モードテーブル
α  番組単位での優先度
β  パラメータ単位での優先度
【図１】
2008016914.tif 000003
【図２】
2008016914.tif 000004
【図３】
2008016914.tif 000005
【図４】
2008016914.tif 000006
【図５】
2008016914.tif 000007
【図６】
2008016914.tif 000008
【図７】
2008016914.tif 000009
【図８】
2008016914.tif 000010
【図９】
2008016914.tif 000011
【図１０】
2008016914.tif 000012
【図１１】
2008016914.tif 000013
【図１２】
2008016914.tif 000014
【図１３】
2008016914.tif 000015
【図１４】
2008016914.tif 000016
【図１５】
2008016914.tif 000017
【図１６】
2008016914.tif 000018
【図１７】
2008016914.tif 000019